【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
広告識別情報、配送拠点識別情報、及び配達日情報を含む複数の電子広告情報を受信する手順と、
前記複数の電子広告情報のうち、第１の配送拠点識別情報及び第１の配達日情報を含む第１及び第２の電子広告情報を選択し、前記第１及び第２の電子広告情報に基づき広告丁合処理情報を生成する手順と、
前記広告丁合処理情報を出力する手順と、をコンピュータに実行させるプログラムであって、
前記第１の電子広告情報は、第１の広告の第１の広告識別情報、前記第１の広告の第１の部数、前記第１の配送拠点識別情報、及び第１の配達日情報を含み、
前記第２の電子広告情報は、第２の広告の第２の広告識別情報、前記第２の広告の第２の部数、前記第１の配送拠点識別情報、及び前記第１の配達日情報を含み、
前記広告丁合処理情報は、前記第１の広告識別情報、前記第１の部数、前記第２の広告識別情報、前記第２の部数、前記第１の配送拠点識別情報、及び前記第１の配達日情報を含み、
前記第１の部数に応じた配達区域別の部数情報、及び前記第２の部数に応じた配達区域別の部数情報を生成する手順をコンピュータに実行させるプログラム。
【請求項２】
配達区域別の部数履歴情報に基づき、前記第１の部数に応じた配達区域別の部数情報を生成し、前記第２の部数に応じた配達区域別の部数情報を生成する手順をコンピュータに実行させる請求項１のプログラム。
【請求項３】
前記第１の広告識別情報に基づき前記第１の広告の配達区域別の第１の部数履歴情報を調べて、前記第１の部数履歴情報に基づき前記第１の部数に応じた配達区域別の部数情報を生成し、また、前記第２の広告識別情報に基づき前記第２の広告の配達区域別の第２の部数履歴情報を調べて、前記第２の部数履歴情報に基づき前記第２の部数に応じた配達区域別の部数情報を生成する手順をコンピュータに実行させる請求項１のプログラム。
【請求項４】
配送管理装置及び丁合機を備える配送管理システムであって、
前記配送管理装置は、
広告識別情報、配送拠点識別情報、及び配達日情報を含む複数の電子広告情報を受信する第１の受信部と、
前記複数の電子広告情報のうち、第１の配送拠点識別情報及び第１の配達日情報を含む第１及び第２の電子広告情報を選択し、前記第１及び第２の電子広告情報に基づき広告丁合処理情報を生成する処理部と、
前記広告丁合処理情報を出力する第１の出力部と、を備え、
前記第１の電子広告情報は、第１の広告の第１の広告識別情報、前記第１の広告の第１の部数、前記第１の配送拠点識別情報、及び第１の配達日情報を含み、
前記第２の電子広告情報は、第２の広告の第２の広告識別情報、前記第２の広告の第２の部数、前記第１の配送拠点識別情報、及び前記第１の配達日情報を含み、
前記広告丁合処理情報は、前記第１の広告識別情報、前記第１の部数、前記第２の広告識別情報、前記第２の部数、前記第１の配送拠点識別情報、及び前記第１の配達日情報を含み、
前記丁合機は、
前記広告丁合処理情報を受信する第２の受信部と、
前記広告丁合処理情報に基づき前記第１及び第２の広告を丁合する丁合部と、
を備え、
前記丁合部は、前記第１の部数に応じた配達区域別の部数情報を生成し、前記第２の部数に応じた配達区域別の部数情報を生成し、前記第１及び第２の広告を丁合する配送管理システム。
【請求項５】
前記丁合部は、配達区域別の部数履歴情報に基づき、前記第１の部数に応じた配達区域別の部数情報を生成し、前記第２の部数に応じた配達区域別の部数情報を生成する請求項４の配送管理システム。
【請求項６】
前記丁合部は、前記第１の広告識別情報に基づき前記第１の広告の配達区域別の第１の部数履歴情報を調べて、前記第１の部数履歴情報に基づき前記第１の部数に応じた配達区域別の部数情報を生成し、また、前記第２の広告識別情報に基づき前記第２の広告の配達区域別の第２の部数履歴情報を調べて、前記第２の部数履歴情報に基づき前記第２の部数に応じた配達区域別の部数情報を生成する請求項４の配送管理システム。
【請求項７】
前記第１の広告識別情報に基づく前記第１の広告の配達区域別の複数の第１の部数履歴情報を表示する表示部と、
前記複数の第１の部数履歴情報から情報の選択を可能にする入力部と、を備え、
前記丁合部は、前記入力部で選択される第１の部数履歴情報に基づき前記第１の部数に応じた配達区域別の部数情報を生成する請求項６の配送管理システム。
【手続補正２】
【補正対象書類名】明細書
【補正対象項目名】０１０７
【補正方法】変更
【補正の内容】
【０１０７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
本願は、特願２０１７−０３３６５２を原出願とする分割出願である。分割直前の原出願には、原出願の出願当初の特許請求の範囲に記載の発明が付記されており、以下はその付記である。
［Ｃ１］
広告識別情報、配送拠点識別情報、及び配達日情報を含む複数の電子広告情報を受信する手順と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する手順と、
前記広告丁合処理情報を出力する手順と、をコンピュータに実行させるプログラムであって、
前記広告丁合処理情報は、前記選択された１以上の電子広告情報に含まれる広告識別情報、前記第１の配送拠点識別情報、及び前記第１の配達日情報を含むプログラム。
［Ｃ２］
選択された第１及び第２の電子広告情報に基づき、前記広告丁合処理情報を生成する手順をコンピュータに実行させるプログラムであって、
前記第１の電子広告情報は、第１の広告の第１の広告識別情報、前記第１の配送拠点識別情報、及び前記第１の配達日情報を含み、
前記第２の電子広告情報は、第２の広告の第２の広告識別情報、前記第１の配送拠点識別情報、及び前記第１の配達日情報を含み、
前記広告丁合処理情報は、前記第１及び第２の広告識別情報、前記第１の配送拠点識別情報、及び前記第１の配達日情報を含む［Ｃ１］のプログラム。
［Ｃ３］
前記第１の電子広告情報は、前記第１の広告の第１の部数を含み、
前記第２の電子広告情報は、前記第２の広告の第２の部数を含み、
前記広告丁合処理情報は、前記第１及び第２の部数を含む［Ｃ２］のプログラム。
［Ｃ４］
前記広告丁合処理情報は、前記第１の広告の第１の配達区域情報と、前記第２の広告の第２の配達区域情報を含む［Ｃ３］のプログラム。
［Ｃ５］
前記第１の部数に応じた配達区域別の部数情報を生成し、前記第２の部数に応じた配達区域別の部数情報を生成する手順をコンピュータに実行させる［Ｃ４］のプログラム。
［Ｃ６］
配達区域別の部数履歴情報に基づき、前記第１の部数に応じた配達区域別の部数情報を生成し、前記第２の部数に応じた配達区域別の部数情報を生成する手順をコンピュータに実行させる［Ｃ５］のプログラム。
［Ｃ７］
前記第１の電子公告情報が、前記第１の広告を第１の広告以外の広告を束ねる帯として指定する帯指定情報を含む［Ｃ２］乃至［Ｃ６］の何れか一つのプログラム。
［Ｃ８］
前記第２の電子公告情報が、前記第２の広告を先頭に丁合する先頭指定情報を含む［Ｃ２］乃至［Ｃ７］の何れか一つのプログラム。
［Ｃ９］
第１及び第２の丁合物を含む配達物を作成する場合に、
各電子広告情報が、前記第１及び第２の丁合物のうちのどちらか一方の指定を含む［Ｃ２］乃至［Ｃ８］の何れか一つのプログラム。
［Ｃ１０］
前記第１の配送拠点識別情報に登録された丁合機に対して前記広告丁合処理情報を送信する手順をコンピュータに実行させる［Ｃ２］乃至［Ｃ９］の何れか一つのプログラム。
［Ｃ１１］
前記広告丁合処理情報をサーバへ出力する手順をコンピュータに実行させる［Ｃ２］乃至［Ｃ９］の何れか一つのプログラム。
［Ｃ１２］
広告識別情報、配送拠点識別情報、及び配達日情報を含む複数の電子広告情報を受信する第１の受信部と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する処理部と、
前記広告丁合処理情報を出力する第１の出力部と、を備え、
前記広告丁合処理情報は、前記選択された１以上の電子広告情報に含まれる広告識別情報、前記第１の配送拠点識別情報、及び前記第１の配達日情報を含む配送管理装置。
［Ｃ１３］
前記第１の出力部は、前記広告丁合処理情報をサーバへ出力する［Ｃ１２］の配送管理装置。
［Ｃ１４］
［Ｃ１２］の配送管理装置及び丁合機を備える配送管理システムであって、
前記丁合機は、
前記広告丁合処理情報を受信する第２の受信部と、
前記広告丁合処理情報に基づき第１及び第２の広告を丁合する丁合部と、
を備える配送管理システム。
［Ｃ１５］
［Ｃ１３］の配送管理装置及び丁合機を備える配送管理システムであって、
前記丁合機は、
前記サーバから前記広告丁合処理情報を受信する第２の受信部と、
前記広告丁合処理情報に基づき第１及び第２の広告を丁合する丁合部と、
を備える配送管理システム。
［Ｃ１６］
第１の広告束に添付される第１の添付広告情報から読み取られた第１の読取り情報を受信する第３の受信部と、
前記広告丁合処理情報と前記第１の読取り情報との比較結果に基づき、前記第１の広告束の受け入れ可否を判定する判定部と、
を備える［Ｃ１４］又は［Ｃ１５］の配送管理システム。
［Ｃ１７］
前記第３の受信部は、第２の広告束に添付される第２の添付広告情報から読み取られた第２の読取り情報を受信し、
前記判定部は、前記広告丁合処理情報と前記第１及び第２の読取り情報との比較結果に基づき、前記第１及び第２の広告束の受け入れ可否、及び広告束の過不足を判定する［Ｃ１６］の配送管理システム。
［Ｃ１８］
前記丁合部は、前記第１及び第２の広告束の受け入れの許可に基づき、前記第１の広告束の第１の広告と前記第２の広告束の第２の広告を丁合する［Ｃ１７］の配送管理システム。
［Ｃ１９］
前記丁合機は、前記第１の広告と前記第２の広告の丁合物に対応する丁合データを出力する第２の出力部を備え、
前記丁合データは、前記第１の配送拠点識別情報を含む［Ｃ１８］の配送管理システム。
［Ｃ２０］
配送管理システムは、情報読取り装置を備え、
前記情報読取り装置は、丁合物印刷ラベルから前記丁合データを読み取る読取部と、
前記丁合データに含まれる前記第１の配送拠点識別情報を表示する表示部と、
を備える［Ｃ１９］の配送管理システム。